(57)【要約】【課題】サービス利用者の情報取得のための操作を容易にするとともに、これらのサービスを通じてサービス提供者に適正な課金をすることができるようにした情報処理装置およびその制御方法を提供する。【解決手段】情報処理装置３０に、携帯端末１０−１〜１０−ｎで撮像したデジタルコード情報が含まれた画像情報を入力するとともに、該入力された画像情報の画像を撮影した携帯端末１０−１〜１０−ｎを特定する特定情報を入力し、入力された画像情報からデジタルコード情報を抽出し、該抽出したデジタルコード情報に対応する付加情報を前記特定情報により特定される携帯端末１０−１〜１０−ｎに向けて出力する。【選択図】　図１
2004112639.tif 000002
【特許請求の範囲】
【請求項１】
デジタルコード情報が含まれた画像情報を入力する画像情報入力手段と、
前記画像情報入力手段により入力された画像情報の画像を撮影した携帯端末を特定する特定情報を入力する特定情報入力手段と、
前記画像情報入力手段により入力された画像情報からデジタルコード情報を抽出する抽出手段と、
前記抽出手段により抽出されたデジタルコード情報に対応する付加情報を、前記特定情報入力手段により入力された特定情報により特定される携帯端末に向けて出力する付加情報出力手段と
を備えることを特徴とする情報処理装置。
【請求項２】
前記入力手段により入力された画像情報の画像に類似する類似画像を検索する検索手段
を備え、
前記付加情報出力手段は、
前記検索手段により検索された類似画像に対応する付加情報を前記特定情報入力手段により入力された特定情報により特定される携帯端末に向けて出力する
ことを特徴とする請求項１記載の情報処理装置。
【請求項３】
前記付加情報出力手段は、
前記抽出手段により抽出されたデジタルコード情報により示される付加情報または前記検索手段により検索された類似画像に対応する付加情報のいずれか一方を優先的に出力する
ことを特徴とする請求項２記載の情報処理装置。
【請求項４】
前記付加情報出力手段による付加情報の出力に対応して課金情報を生成する課金情報生成手段
を備え、
前記課金情報生成手段は、
前記抽出手段により抽出されたデジタルコード情報により示される付加情報を出力する場合と前記検索手段により検索された類似画像に対応する付加情報を出力する場合とで課金額を異ならせる
ことを特徴とする請求項３記載の情報処理装置。
【請求項５】
前記課金情報生成手段は、
前記抽出手段により抽出されたデジタルコード情報により示される付加情報を出力する場合の課金額を前記検索手段により検索された類似画像に対応する付加情報を出力する場合の課金額より高い課金額を生成する
ことを特徴とする請求項４記載の情報処理装置。
【請求項６】
前記付加情報出力手段は、
前記抽出手段によるデジタルコード情報の抽出が行なえなかった場合に前記検索手段により検索された類似画像に対応する付加情報を出力する
ことを特徴とする請求項３記載の情報処理装置。
【請求項７】
前記付加情報出力手段は、
前記抽出手段により抽出されたデジタルコード情報により示される付加情報と前記検索手段により検索された類似画像に対応する付加情報との両方を出力する
ことを特徴とする請求項２記載の情報処理装置。
【請求項８】
前記付加情報は、
前記抽出手段により抽出されたデジタルコード情報と前記検索手段により検索された類似画像との両方に対応する
ことを特徴とする請求項２記載の情報処理装置。
【請求項９】
前記付加情報送信手段により送信される付加情報は、
情報が蓄積されている場所を示す場所情報である
ことを特徴とする請求項１記載の情報処理装置。
【請求項１０】
前記付加情報送信手段は、
付加情報をメールで出力する
ことを特徴とする請求項１記載の情報処理装置。
【請求項１１】
デジタルコード情報が含まれた画像を撮影する撮影手段と、
前記撮影手段により撮影された画像の画像情報を外部装置に送信する送信手段と、
前記送信手段により送信された画像情報に含まれるデジタルコードに対応する付加情報を入力する付加情報入力手段と
を備えることを特徴とする携帯端末。
【請求項１２】
付加情報入力手段により入力された付加情報は、
情報が蓄積されている場所を示す場所情報であり、
該場所情報に基づき情報の送信を要求する要求手段
を備えることを特徴とする請求項１１記載の携帯端末。
【請求項１３】
デジタルコード情報が含まれた画像情報を入力するとともに、
該入力された画像情報の画像を撮影した携帯端末を特定する特定情報を入力し、
前記入力された画像情報からデジタルコード情報を抽出し、
該抽出したデジタルコード情報に対応する付加情報を前記特定情報により特定される携帯端末に向けて出力する
ことを特徴とする情報処理装置の制御方法。
【請求項１４】
前記入力された画像情報の画像に類似する類似画像を検索し、
該検索した類似画像に対応する付加情報を前記特定情報により特定される携帯端末に向けて出力する
ことを特徴とする請求項１３載の情報処理装置の制御方法。
【請求項１５】
前記抽出されたデジタルコード情報により示される付加情報または前記検索された類似画像に対応する付加情報のいずれか一方を前記特定情報により特定される携帯端末に向けて優先的に出力する
ことを特徴とする請求項１４記載の情報処理装置の制御方法。
【請求項１６】
前記付加情報の出力に対応して課金情報を生成し、
前記抽出したデジタルコード情報により示される付加情報を出力する場合と前記検索した類似画像に対応する付加情報を出力する場合とで課金額を異ならせることを特徴とする請求項１５記載の情報処理装置の制御方法。
【請求項１７】
前記抽出したデジタルコード情報により示される付加情報を出力する場合の課金額を前記検索した類似画像に対応する付加情報を出力する場合の課金額より高い課金額に生成する
ことを特徴とする請求項１６記載の情報処理装置の制御方法。
【請求項１８】
前記デジタルコード情報の抽出が行なえなかった場合に前記検索した類似画像に対応する付加情報を出力する
ことを特徴とする請求項１５記載の情報処理装置の制御方法。
【請求項１９】
前記抽出手段により抽出されたデジタルコード情報により示される付加情報と前記検索手段により検索された類似画像に対応する付加情報との両方を出力する
ことを特徴とする請求項１４記載の情報処理装置の制御方法。
【請求項２０】
前記付加情報は、前記抽出手段により抽出されたデジタルコード情報と前記検索手段により検索された類似画像との両方に対応する
ことを特徴とする請求項１４記載の情報処理装置の制御方法。
【請求項２１】
前記送信される付加情報は、情報が蓄積されている場所を示す場所情報である
ことを特徴とする請求項１３記載の情報処理装置の制御方法。
【請求項２２】
前記付加情報は、メールで出力される
ことを特徴とする請求項１３記載の情報処理装置の制御方法。
【請求項２３】
デジタルコード情報が含まれた画像を撮影し、
該撮影した画像の画像情報を外部装置に送信し、
該送信した画像情報に含まれるデジタルコードに対応する付加情報を入力する
ことを特徴とする携帯端末の制御方法。
【請求項２４】
前記付加情報は、情報が蓄積されている場所を示す場所情報であり、該場所情報は情報の送信を要求するために用いられる
ことを特徴とする請求項２３記載の携帯端末の制御方法。
【発明の詳細な説明】
【０００１】
【発明の属する技術分野】
この発明は、情報処理装置およびその制御方法に関し、特に、コード情報埋込画像を用いて情報サービスを提供する情報処理装置およびその制御方法に関する。
【０００２】
【従来の技術】
近年、ネットワーク化の進展に伴い、誰でもネットワーク経由で情報、サービスを入手することが可能となっている。
【０００３】
ところで、紙、雑誌、カタログ、広告等で提供されるハード情報に対して、更に詳細な情報を入手したい場合があるが、この場合は、このハード情報に記載されている若しくは関連するＵＲＬ（Ｕｎｉｆｏｒｍ　Ｒｅｓｏｕｒｃｅ　Ｌｏｃａｔｏｒ）を自宅等のパーソナルコンピュータから打ち込んでインターネットにアクセスすることにより上記詳細な情報を得ることが行われている。
【０００４】
また、上記手間を省くために、上記ハード情報に上記ＵＲＬに対応するバーコードや２次元コード等のコード情報を記載し、このコード情報をパーソナルコンピュータに接続された特殊なスキャナで読み取り、パーソナルコンピュータでＵＲＬに変換してインターネットに自動アクセスする手法、携帯電話機に接続されたバーコードスキャナでバーコードを読み取り、この読み取ったバーコードを携帯電話でＵＲＬに変換してインターネットに自動アクセスする手法等も考えられている。
【０００５】
また、特許文献１に示されるように、広告画像とともに表示された２次元バーコードを撮像装置で撮像し、その撮像画像を撮像装置側で解析して広告画像に係る情報を表示部に表示する技術も開示されている。
【０００６】
【特許文献１】
特開２００２―１５２７４号公報
【発明が解決しようとする課題】
しかし、上記従来技術においては、撮影画像からのデジタルデータの抽出を撮像装置側で行なうように構成されているため、デジタル情報の抽出部を撮像装置毎に備える必要があり、このため、撮像装置側のコストアップに繋がってしまうという問題があり、また、解析部を備えない撮像装置ではこのサービスを利用することができないという問題がある。
【０００７】
そこで本発明は、携帯端末に解析部を備える必要性なしに、撮影画像からデジタルコードを抽出し、このデジタルコードに対応する付加情報を携帯端末で利用可能にした情報処理装置およびその制御方法を提供することを目的とする。
【０００８】
【課題を解決するための手段】
上記目的を達成するため、請求項１の発明の情報処理装置は、デジタルコード情報が含まれた画像情報を入力する画像情報入力手段と、前記画像情報入力手段により入力された画像情報の画像を撮影した携帯端末を特定する特定情報を入力する特定情報入力手段と、前記画像情報入力手段により入力された画像情報からデジタルコード情報を抽出する抽出手段と、前記抽出手段により抽出されたデジタルコード情報に対応する付加情報を、前記特定情報入力手段により入力された特定情報により特定される携帯端末に向けて出力する付加情報出力手段とを備えることを特徴とする。
【０００９】
また、請求項２の発明は、請求項１の発明において、前記入力手段により入力された画像情報の画像に類似する類似画像を検索する検索手段を備え、前記付加情報出力手段は、前記検索手段により検索された類似画像に対応する付加情報を前記特定情報入力手段により入力された特定情報により特定される携帯端末に向けて出力することを特徴とする。
【００１０】
また、請求項３の発明は、請求項２の発明において、前記付加情報出力手段は、前記抽出手段により抽出されたデジタルコード情報により示される付加情報または前記検索手段により検索された類似画像に対応する付加情報のいずれか一方を優先的に出力することを特徴とする。
【００１１】
また、請求項４の発明は、請求項３の発明において、前記付加情報出力手段による付加情報の出力に対応して課金情報を生成する課金情報生成手段を備え、前記課金情報生成手段は、前記抽出手段により抽出されたデジタルコード情報により示される付加情報を出力する場合と前記検索手段により検索された類似画像に対応する付加情報を出力する場合とで課金額を異ならせることを特徴とする。
【００１２】
また、請求項５の発明は、請求項４の発明において、前記課金情報生成手段は、前記抽出手段により抽出されたデジタルコード情報により示される付加情報を出力する場合の課金額を前記検索手段により検索された類似画像に対応する付加情報を出力する場合の課金額より高い課金額を生成することを特徴とする。
【００１３】
また、請求項６の発明は、請求項３の発明において、前記付加情報出力手段は、前記抽出手段によるデジタルコード情報の抽出が行なえなかった場合に前記検索手段により検索された類似画像に対応する付加情報を出力することを特徴とする。
【００１４】
また、請求項７の発明は、請求項２の発明において、前記付加情報出力手段は、前記抽出手段により抽出されたデジタルコード情報により示される付加情報と前記検索手段により検索された類似画像に対応する付加情報との両方を出力することを特徴とする。
【００１５】
また、請求項８の発明は、請求項２の発明において、前記付加情報は、前記抽出手段により抽出されたデジタルコード情報と前記検索手段により検索された類似画像との両方に対応することを特徴とする。
【００１６】
また、請求項９の発明は、請求項１の発明において、前記付加情報送信手段により送信される付加情報は、情報が蓄積されている場所を示す場所情報であることを特徴とする。
【００１７】
また、請求項１０の発明は、請求項１の発明において、前記付加情報送信手段は、付加情報をメールで出力することを特徴とする。
【００１８】
また、請求項１１の発明の携帯端末は、デジタルコード情報が含まれた画像を撮影する撮影手段と、前記撮影手段により撮影された画像の画像情報を外部装置に送信する送信手段と、前記送信手段により送信された画像情報に含まれるデジタルコードに対応する付加情報を入力する付加情報入力手段とを備えることを特徴とする。
【００１９】
また、請求項１２の発明は、請求項１１の発明において、付加情報入力手段により入力された付加情報は、情報が蓄積されている場所を示す場所情報であり、該場所情報に基づき情報の送信を要求する要求手段を備えることを特徴とする。
【００２０】
また、請求項１３の発明の情報処理装置の制御方法は、デジタルコード情報が含まれた画像情報を入力するとともに、該入力された画像情報の画像を撮影した携帯端末を特定する特定情報を入力し、前記入力された画像情報からデジタルコード情報を抽出し、該抽出したデジタルコード情報に対応する付加情報を前記特定情報により特定される携帯端末に向けて出力することを特徴とする。
【００２１】
また、請求項１４の発明は、請求項１３の発明において、前記入力された画像情報の画像に類似する類似画像を検索し、該検索した類似画像に対応する付加情報を前記特定情報により特定される携帯端末に向けて出力することを特徴とする。
【００２２】
また、請求項１５の発明は、請求項１４の発明において、前記抽出されたデジタルコード情報により示される付加情報または前記検索された類似画像に対応する付加情報のいずれか一方を前記特定情報により特定される携帯端末に向けて優先的に出力することを特徴とする。
【００２３】
また、請求項１６の発明は、請求項１５の発明において、前記付加情報の出力に対応して課金情報を生成し、前記抽出したデジタルコード情報により示される付加情報を出力する場合と前記検索した類似画像に対応する付加情報を出力する場合とで課金額を異ならせることを特徴とする。
【００２４】
また、請求項１７の発明は、請求項１６の発明において、前記抽出したデジタルコード情報により示される付加情報を出力する場合の課金額を前記検索した類似画像に対応する付加情報を出力する場合の課金額より高い課金額に生成することを特徴とする。
【００２５】
また、請求項１８の発明は、請求項１５の発明において、前記デジタルコード情報の抽出が行なえなかった場合に前記検索した類似画像に対応する付加情報を出力することを特徴とする。
【００２６】
また、請求項１９の発明は、請求項１４の発明において、前記抽出手段により抽出されたデジタルコード情報により示される付加情報と前記検索手段により検索された類似画像に対応する付加情報との両方を出力することを特徴とする。
【００２７】
また、請求項２０の発明は、請求項１４の発明において、前記付加情報は、前記抽出手段により抽出されたデジタルコード情報と前記検索手段により検索された類似画像との両方に対応することを特徴とする。
【００２８】
また、請求項２１の発明は、請求項１３の発明において、前記送信される付加情報は、情報が蓄積されている場所を示す場所情報であることを特徴とする。
【００２９】
また、請求項２２の発明は、請求項１３の発明において、前記付加情報は、メールで出力されることを特徴とする。
【００３０】
また、請求項２３の発明の携帯端末の制御方法は、デジタルコード情報が含まれた画像を撮影し、該撮影した画像の画像情報を外部装置に送信し、該送信した画像情報に含まれるデジタルコードに対応する付加情報を入力することを特徴とする。
【００３１】
また、請求項２４の発明は、請求項２３の発明において、前記付加情報は、情報が蓄積されている場所を示す場所情報であり、該場所情報は情報の送信を要求するために用いられることを特徴とする。
【００３２】
【発明の実施の形態】
以下、この発明に係わる情報処理装置およびその制御方法の実施の形態を添付図面を参照して詳細に説明する。
【００３３】
図１は、この発明に係わる情報処理装置およびその制御方法を適用して構成した情報処理システムの概略構成を示すブロック図である。
【００３４】
図１において、この情報処理システムは、画像に埋め込んだコード情報（デジタルコード情報）を用いて情報サービスを行うもので、複数の携帯端末１０−１〜１０−ｎ、情報提供サービス業者端末２０、情報処理装置３０をインタネット４０を経由して接続することにより構成される。
【００３５】
ここで、携帯端末１０−１〜１０−ｎは、この情報処理システムにおけるサービス要求者を構成し、この携帯端末１０−１〜１０−ｎは、例えば、ユーザの携帯する画像撮像手段を有する携帯電話機である。この場合は、この携帯電話機とインターネット４０との接続は無線接続になる。なお、この携帯端末１０−１〜１０−ｎは、画像撮像手段を有する他の種類の携帯端末であってもよい。
【００３６】
情報提供サービス業者端末２０は、この情報処理システムを用いて携帯端末１０−１〜１０−ｎに所要の情報を提供するサービス提供者を構成する情報提供サービス業者に配置されたパーソナルコンピュータ等の端末である。
【００３７】
ここで、情報提供サービス業者とは、例えば、広告業者、商品の提供業者、各種サービスの提供業者等である。
【００３８】
情報処理装置３０は、この情報処理システムにおいて情報提供サービスを実現するための各種処理を実行するもので、これら処理に必要なデータを格納するデータベース５０に接続されている。
【００３９】
さて、この情報処理システムにおける情報サービスの概要を示すと以下のようになる。
【００４０】
１）この情報処理システムを利用して情報を提供しようとする情報提供サービス業者は、そのサービスの内容とともにこの情報処理システムを利用するためのコード情報を埋め込んだ画像情報の作成を情報提供装置３０に依頼する。この情報提供装置３０に対するコード情報を埋め込んだ画像情報の作成の依頼は、情報提供サービス業者端末２０からインターネット４０を介して行うことができるが、他の通信手段を用いて、若しくは情報提供装置３０に直接依頼してもよい。
【００４１】
ここで、コード情報とは、例えば、所望の情報をインターネット４０を介してアクセスするためのＵＲＬに対応するものであり、このコード情報を埋め込んだ画像情報の画像は、その情報提供サービス業者若しくはその情報提供サービス業者が提供するサービスをを特定する画像であり、例えば、その情報提供サービス業者のロゴマーク等でもよい。そして、この画像に対するコード情報の埋め込みは、例えば、この画像に対して、所定のＵＲＬに対応する、例えば、２次元バーコードを重畳表示することにより行われる。
【００４２】
２）情報提供サービス業者からコード情報を埋め込んだ画像情報の作成を依頼された情報提供装置３０は、そのサービスの内容にアクセスするためのＵＲＬ等（以下、これを付加情報という）を調べ、この付加情報を所定のコード情報に変換してこの変換したコード情報を所定の画像に埋め込むことによりコード情報を埋め込んだ画像情報を作成する。
【００４３】
また、情報提供装置３０は、上記画像とともに上記コード情報に対応する付加情報をデータベース５０に登録する。
【００４４】
情報提供装置３０により作成されたコード情報を埋め込んだ画像情報は、情報提供装置３０からその依頼した情報提供サービス業者に提供される。このコード情報を埋め込んだ画像情報の情報提供サービス業者への提供は、例えば、インターネット４０を介して情報提供サービス業者端末２０に転送することにより行うことができる。ここで、情報提供装置３０は、このコード情報を埋め込んだ画像情報の提供によりこの情報提供サービス業者に対して所定の課金を行う。
【００４５】
３）情報提供装置３０からコード情報を埋め込んだ画像情報の提供を受けた情報提供サービス業者は、ユーザに対して配布する広告等にこのコード情報を埋め込んだ画像情報の画像を印刷する。
【００４６】
４）このコード情報を埋め込んだ画像情報の画像が印刷された広告等を受け取ったユーザは、この広告に興味があり、この広告の詳細を更に知りたい場合は、自己の携帯する携帯電話機（携帯端末１０−１〜１０−ｎ）のカメラ（撮像手段）を用いて、このコード情報を埋め込んだ画像情報の画像を撮像し、インターネット４０を介してこのコード情報を埋め込んだ画像情報の撮像画像を情報処理装置３０に送信する。このとき、自己の携帯する携帯電話機を特定する電話番号（特定情報）が上記撮像したコード情報を埋め込んだ画像情報の撮像画像とともに情報処理装置３０に送信する。
【００４７】
このコード情報を埋め込んだ画像情報の画像の送信は、例えば、携帯電話機が有するメール機能を利用して送信することができる。
【００４８】
５）携帯電話機（携帯端末１０−１〜１０−ｎ）からコード情報を埋め込んだ画像情報の画像およびその携帯電話機の電話番号（特定情報）を受け取った情報処理装置３０は、このコード情報を埋め込んだ画像情報の画像を解析してこの画像に埋めこまれたコード情報を抽出する。
【００４９】
そして、データベース５０からこのコード情報に対応する付加情報を検索する。なお、上記コード情報の抽出に失敗した場合は、コード情報を埋め込んだ画像情報の画像に類似する類似画像をデータベース５０から検索して、この類似画像に対応する付加情報を求めるようにしてもよい。
【００５０】
このようにして情報処理装置３０で得られた付加情報は、このコード情報を埋め込んだ画像情報の画像を送信した携帯電話機（携帯端末１０−１〜１０−ｎ）を特定する電話番号（特定情報）を用いてこの携帯電話機に向けて送信される。
【００５１】
この付加情報の送信に際して、この付加情報が、埋め込まれたコード情報に対応して得られたか、類似画像に対応して得られたかにより異なる課金を行う。例えば、類似画像に対応して得られた付加情報を送信する場合は、埋め込まれたコード情報に対応して得られた付加情報を送信する場合よりも課金額を安く設定する。
【００５２】
また、この付加情報の送信は、類似画像に対応して得られた付加情報と埋め込まれたコード情報に対応して得られた付加情報とのいずれか一方だけでなく両者を送信するように構成してもよい。
【００５３】
この付加情報の送信は、例えば、携帯電話機が有するメール機能を利用して送信することができる。
【００５４】
６）情報処理装置３０から付加情報を受け取った携帯電話機（携帯端末１０−１〜１０−ｎ）は、この付加情報（ＵＲＬ）を入力してインターネット４０にアクセスすることにより上記広告に関連する所望の詳細情報を取得することにより情報サービスを受ける。
【００５５】
図２は、図１に示した情報処理装置３０の構成例を示すブロック図である。
【００５６】
図２において、この情報処理装置３０は、この情報処理装置３０の全体動作を統括制御する制御部２０１に、画像情報生成部２０２、画像情報入力部２０３、特定情報入力部２０４、コード情報抽出部２０５、付加情報出力部２０６、画像情報配信部２０７、データベース作成部２０８、画像検索部２０９、類似画像検索部２１０、課金情報生成部２１１をバスライン２１２を介して接続して構成される。
【００５７】
ここで、画像情報生成部２０２は、情報提供サービス業者から依頼されたコード情報を埋め込んだ画像情報の作成生成処理を行う。
【００５８】
また、画像情報配信部２０７は、画像情報生成部２０２で生成されたコード情報が埋め込まれた画像情報をその依頼を受けた情報提供サービス業者に対して配信する処理を行うものである。
【００５９】
また、データベース作成部２０８は、画像情報生成部２０２で生成した画像とともに上記コード情報に対応する付加情報を用いてデータベース５０を作成する処理を行う。
【００６０】
画像情報入力部２０３は、携帯端末１０−１〜１０−ｎから送られたコード情報が埋め込まれた画像情報の入力処理を行うものであり、特定情報入力部２０４は携帯端末１０−１〜１０−ｎから送られた特定情報（携帯電話機の電話番号）の入力処理を行う。
【００６１】
コード情報抽出部２０５は、画像情報入力部２０３で入力したコード情報が埋め込まれた画像情報を解析して、この画像情報からコード情報を抽出する処理を行う。
【００６２】
画像検索部２０９は、コード情報抽出部２０５で抽出したコード情報に基づきデータベース５０を検索してこのコード情報に対応する付加情報を検索する。
【００６３】
また、類似画像検索部２１０は、コード情報が埋め込まれた画像情報の画像に基づき、この画像に類似する類似画像に対応する付加情報を検索する。
【００６４】
付加情報出力部２０６は、画像検索部２０９で検索した付加情報若しくは類似画像検索部２１０で検索した付加情報のいずれか一方若しくは両方を携帯端末１０−１〜１０−ｎに送信する処理を行う。
【００６５】
また、課金情報生成部２１１は、上記画像情報生成部２０２で生成したコード情報が埋め込まれた画像情報を画像情報配信部２０７で配信した際および付加情報出力部２０７で付加情報を出力した際にそれぞれ所要の課金額を生成する処理を行うものである。
【００６６】
図３は、図２に示した携帯端末１０−１〜１０−ｎ（以下、携帯端末１０と総称する）の要部の構成例を示すブロック図である。
【００６７】
図３において、この携帯端末１０は、この携帯端末１０の全体動作を統括制御する制御部３０１に、画像撮像部３０２、付加情報受信部３０３、付加情報入力部３０４、画像情報送信部３０５、情報送信要求部３０６、表示部３０７をバスライン３０８を介して接続して構成される。
【００６８】
ここで、画像撮像部３０２は、この携帯端末１０が携帯電話機である場合は、例えば、この携帯電話機内蔵のカメラであり、この画像撮像部３０２を用いてコード情報が埋め込まれた画像情報の画像を撮像する。
【００６９】
画像情報送信部３０５は、画像撮像部３０２で撮像したコード情報が埋め込まれた画像情報の画像およびこの携帯端末１０を特定する電話番号等の特定情報を情報処理装置３０へ送信する処理を行う。
【００７０】
付加情報受信部３０３は、情報処理装置３０から送信された付加情報を受信処理を行うものであり、付加情報入力部３０４は、付加情報受信部３０３で受信処理した付加情報を所望の情報取得のために入力するものである。
【００７１】
また、情報送信要求部３０６は、付加情報入力部３０４で入力された付加情報、例えばＵＲＬを用いてインターネット４０にアクセスし、所望の情報取得の要求を行う処理を行う。なお、この情報送信要求部３０６においては、付加情報入力部３０４で入力された付加情報を用いるのではなく、付加情報受信部３０３で受信した付加情報をそのまま用いて情報取得の要求を行うようにしてもよい。
【００７２】
また、表示部３０７は、この携帯端末１０を用いた情報サービスの享受に必要な各種情報を表示するものである。この携帯端末１０が携帯電話機である場合は、この表示部３０７は、この携帯電話機の表示部に相当する。
【００７３】
なお、図３においては、この情報処理システムを利用して情報サービスを受ける場合の要部のみを示したが、実際はこのほかに通話機能部、無線制御部等を有していることを理解すべきである。
【００７４】
図４は、この情報処理システムで採用するコード情報が埋め込まれた画像情報の画像を印刷物の一例を示した図である。
【００７５】
図４に示す印刷物は、１シートからなる広告４０を示しており、この広告４０には、所要のテキスト情報を含む広告画像４１が印刷されており、その上に、コード情報が埋め込まれた画像情報の画像４２が印刷されている。また、このコード情報が埋め込まれた画像情報の画像４２の右下には、この画像４２がコード情報が埋め込まれた画像情報の画像であることを示すマーク４３が印刷されている。
【００７６】
ユーザは、このマーク４３を見て、所要のコード情報が埋め込まれた画像情報を撮像することができる。
【００７７】
図５は、図２に示した情報処理装置３０におけるコード情報埋めこみ画像作成処理の一例を示すフローチャートである。
【００７８】
情報処理装置３０は、まず、コード情報埋めこみ画像作成依頼かを調べる（ステップ５０１）。ここで、コード情報埋めこみ画像作成依頼でない場合は（ステップ５０１でＮＯ）、ステップ５０１に戻り、コード情報埋めこみ画像作成依頼を待つ。
【００７９】
ステップ５０１でコード情報埋めこみ画像作成依頼であると判断すると（ステップ５０１でＹＥＳ）、画像情報生成部２０２を制御して、この依頼があったコード情報埋めこみ画像情報を作成する（ステップ５０２）。
【００８０】
次に、データベース作成部２０８を制御して画像情報生成部２０２で生成した画像情報の画像とともにコード情報に対応する付加情報を用いてデータベース５０を作成する。
【００８１】
そして、画像情報配信部２０７を制御して、この画像情報生成部２０２で作成したコード情報埋めこみ画像情報を依頼先の情報提供サービス業者に対して配信する。
【００８２】
その後、このコード情報埋めこみ画像情報の作成の対価を依頼先の情報提供サービス業者に対して課金する課金処理を行って（ステップ５０５）この処理を終了する。
【００８３】
図６は、図３に示した携帯端末１０におけるコード情報埋めこみ画像情報の送信処理の一例を示すフローチャートである。
【００８４】
図６において、ユーザがこのコード情報埋めこみ画像情報の印刷された広告等を受けとって、この広告等の詳細を知りたい場合は、携帯端末１０の画像撮像部３０２を用いて、このコード情報埋めこみ画像情報の画像を撮像する（ステップ６０１）。
【００８５】
そして、画像情報送信部３０５を制御して、この画像撮像部３０２で撮像したコード情報埋めこみ画像情報を該携帯端末１０を特定する特定情報とともに情報処理装置３０に送信する。
【００８６】
次に、情報処理装置３０から送信したコード情報埋めこみ画像情報に対応する付加情報を受信したかを調べ（ステップ６０３）、受信していない場合は（ステップ６０３でＮＯ）、ステップ６０３に戻り、付加情報の受信を待つ。
【００８７】
ステップ６０３で、送信したコード情報埋めこみ画像情報に対応する付加情報を受信したと判断されると（ステップ６０５でＹＥＳ）、この付加情報を付加情報入力部３０４から入力して、情報送信要求部３０６を制御してインターネット４０にアクセスし、所望の情報を要求する（ステップ６０４）。
【００８８】
次に、インターネット４０から要求した付加情報に対応するサービス情報を受信したかを調べる（ステップ６０５）。ここで、付加情報に対応するサービス情報を受信していない場合は（ステップ６０５でＮＯ）、ステップ６０５に戻りこの情報の受信を待つが、ステップ６０５で、付加情報に対応するサービス情報を受信したと判断すると（ステップ６０５でＹＥＳ）、この受信した情報を表示部３０７に表示してこの処理を終了する。
【００８９】
図７は、図２に示した情報処理装置３０におけるコード情報抽出解析処理の一例を示すフローチャートである。
【００９０】
図７において、まず、コード情報埋めこみ画像情報入力かを調べ（ステップ７０１）、コード情報埋めこみ画像情報の入力でない場合は（ステップ７０１でＮＯ）、ステップ７０１に戻り、コード情報埋めこみ画像情報の入力を待つが、コード情報埋めこみ画像情報入力であると判断されると（ステップ７０１でＹＥＳ）、次に特定情報入力かを調べる（ステップ７０２）。
【００９１】
ここで、特定情報の入力でない場合は（ステップ７０２でＮＯ）、ステップ７０２に戻り、特定情報の入力を待つが、特定情報入力であると判断されると（ステップ７０２でＹＥＳ）、次に、コード情報抽出部２０５を制御して、ステップ７０２で入力が判断されたコード情報埋めこみ画像情報を解析し、このコード情報埋めこみ画像情報からコード情報を抽出する処理を行う。
【００９２】
ステップ７０３でコード情報の抽出ができたかを調べ（ステップ７０４）、コード情報の抽出ができ場合は（ステップ７０４でＹＥＳ）、画像検索部２０９を制御して、データベース５０からこのコード情報に対応する付加情報を検索する（ステップ７０５）。そして、次に、付加情報出力部２０６を制御して、ステップ７０５で検索した付加情報をステップ７０２で入力が判断された特定情報で特定される携帯端末１０に送信する。
【００９３】
また、ステップ７０３でコード情報の抽出ができない場合は（ステップ７０４でＮＯ）、類似画像検索部２１０を制御して、データベース５０から入力画像に類似する類似画像を検索してこの類似画像に対応する付加情報を得る（ステップ７０７）。そして、次に、付加情報出力部２０６を制御して、ステップ７０７で得た付加情報をステップ７０２で入力が判断された特定情報で特定される携帯端末１０に送信する。
【００９４】
次に、上記付加情報の送信に対する課金処理を行い（ステップ７０９）、この処理を終了する。
【００９５】
なお、この課金処理においては、類似画像に対応する付加情報を送信する場合、コード情報に対応する付加情報を送信する場合よりも課金額を安く設定する。
【００９６】
【発明の効果】
以上説明したようにこの発明によれば、携帯端末に解析部を備える必要性なしに、撮影画像からデジタルコードを抽出し、このデジタルコード情報に対応する付加情報を携帯端末に提供することができるという効果を奏する。
【図面の簡単な説明】
【図１】この発明に係わる情報処理装置およびその制御方法を適用して構成した情報処理システムの概略構成を示すブロック図である。
【図２】図１に示した情報処理装置の構成例を示すブロック図である。
【図３】図２に示した携帯端末の要部の構成例を示すブロック図である。
【図４】図１に示した情報処理システムで採用するコード情報が埋め込まれた画像情報の画像を印刷物の一例を示した図である。
【図５】図２に示した情報処理装置におけるコード情報埋めこみ画像作成処理の一例を示すフローチャートである。
【図６】図３に示した携帯端末におけるコード情報埋めこみ画像情報の送信処理の一例を示すフローチャートである。
【図７】図２に示した情報処理装置におけるコード情報抽出解析処理の一例を示すフローチャートである。
【符号の説明】
１０−１〜１０−ｎ　　携帯端末
２０　　情報提供サービス業者端末
３０　　情報処理装置
４０　　インタネット
５０　　データベース
２０１　　制御部
２０２　　画像情報生成部
２０３　　画像情報入力部
２０４　　特定情報入力部
２０５　　コード情報抽出部
２０６　　付加情報出力部
２０７　　画像情報配信部
２０８　　データベース作成部
２０９　　画像検索部
２１０　　類似画像検索部
２１１　　課金情報生成部
２１２　　バスライン
３０１　　制御部
３０２　　画像撮像部
３０３　　付加情報受信部
３０４　　付加情報入力部
３０５　　画像情報送信部
３０６　　情報送信要求部
３０７　　表示部
３０８　　バスライン
【図１】
2004112639.tif 000003
【図２】
2004112639.tif 000004
【図３】
2004112639.tif 000005
【図４】
2004112639.tif 000006
【図５】
2004112639.tif 000007
【図６】
2004112639.tif 000008
【図７】
2004112639.tif 000009